(57)【要約】【課題】画像記憶装置から送信した印刷ジョブを印刷装置にて完遂できない状態にある時、他の印刷装置にて印刷ジョブを自動的に完遂することである。【解決手段】画像記憶装置Ｓ４０１と印刷装置Ｓ４０２を無線接続し、前記印刷装置に無線接続手段を介して送信した印刷ジョブを印刷装置Ｓ４０２にて完遂できない時、前記画像記憶装置Ｓ４０１において、新たに無線接続可能な印刷装置を検索し、その結果検出された印刷装置Ｓ４０３に前記印刷ジョブを転送することによって印刷ジョブを完遂する構成を特徴とする。【選択図】      図４
2004318431.tif 000002
【特許請求の範囲】
【請求項１】
画像記録処理を行う印刷部を備え、無線接続するための無線接続手段を介して、外部の画像記憶装置または、所定の記録処理を行う複数の印刷装置と通信可能な印刷処理装置であって、
前記画像記憶装置から前記無線接続手段を介して受信した印刷ジョブを完遂の可否を判断する判断手段と、
前記判断手段により完遂できないと判断した場合、前記無線接続手段によって接続可能な複数の印刷装置中より印刷可能な他の印刷装置を検索する検索手段と、
前記検索手段により検索された印刷装置に前記印刷ジョブを前記無線接続手段を介して転送する転送手段と、
を具備したことを特徴とする印刷処理装置。
【請求項２】
前記転送手段は、前記印刷装置において前記印刷ジョブを完遂できない場合、前記画像記憶装置から受信した元の印刷ジョブを、複数の印刷装置中のいずれか他の印刷装置に転送することを特徴とする請求項１に記載の印刷装置。
【請求項３】
前記印刷ジョブを完遂できない場合、未実行の印刷ジョブ情報を取得する取得手段と、
前記取得手段により取得される未実行印刷ジョブ情報に基づいて未実行印刷ジョブを抽出する抽出手段とを備え、
前記転送手段は、前記抽出手段により抽出される前記未実行印刷ジョブを前記複数の印刷装置中のいずれか他の印刷装置に転送することを特徴とする請求項１に記載の印刷処理装置。
【請求項４】
前記転送手段は、前記印刷装置において前記印刷ジョブを完遂できない場合、元の印刷ジョブと前記未実行印刷ジョブ情報とを前記複数の印刷装置中のいずれか他の印刷装置に転送することを特徴とする請求項１に記載の印刷処理装置。
【請求項５】
印刷ジョブを完遂できない状態から所定時間を計測する計測手段を備え、
前記転送手段は、前記計測手段により所定時間を計測した後、複数の印刷装置中のいずれか他の印刷装置に前記印刷ジョブを転送することを特徴とする請求項１に記載の印刷処理装置。
【請求項６】
前記計測手段が計測すべき前記所定時間を設定する時間設定手段を備えることを特徴とする請求項１に記載の印刷処理装置。
【請求項７】
前記転送手段は、前記判断手段により完遂できないと判断した場合、前記印刷ジョブが完遂されるまで、複数の印刷装置の総数に適応して決定される最大転送回数分、前記複数の印刷装置中の他の印刷装置に前記印刷ジョブを順次転送を繰り返すことを特徴とする請求項１に記載の印刷装置。
【請求項８】
画像記録処理を行う印刷部を備え、無線接続するための無線接続手段を介して、所定の記録処理を行う任意数の印刷装置で１つのグループを構成して複数のグループがそれぞれ通信可能な印刷処理システムであって、
前記各印刷装置は、前記画像記憶装置から前記無線接続手段を介して受信した印刷ジョブの完遂の可否を判断する判断手段と、
前記判断手段により完遂できないと判断した場合、該印刷ジョブを他グループを構成する複数の印刷装置中のいずれかの印刷装置に転送する転送手段と、
を有することを特徴とする印刷処理システム。
【請求項９】
前記転送手段は、前記グループの総数に適応して決定される最大グループ転送回数分、次グループ中のいずれかの印刷装置に前記印刷ジョブを順次転送を繰り返すことを特徴とする請求項８に記載の印刷処理システム。
【請求項１０】
前記最大グループ転送回数を設定するグループ数設定手段を有することを特徴とする請求項８に記載の印刷処理システム。
【請求項１１】
画像記録処理を行う印刷部を備え、無線接続するための無線接続手段を介して、外部の画像記憶装置または、所定の記録処理を行う複数の印刷装置と通信可能な印刷処理装置の印刷処理方法であって、
前記画像記憶装置から前記無線接続手段を介して受信した印刷ジョブを完遂の可否を判断する判断ステップと、
前記判断ステップにより完遂できないと判断した場合、前記無線接続手段によって接続可能な複数の印刷装置中より印刷可能な他の印刷装置を検索する検索ステップと、
前記検索ステップにより検索された印刷装置に前記印刷ジョブを前記無線接続手段を介して転送する転送ステップと、
を具備したことを特徴とする印刷処理方法。
【請求項１２】
前記転送ステップは、前記印刷装置において前記印刷ジョブを完遂できない場合、前記画像記憶装置から受信した元の印刷ジョブを、複数の印刷装置中のいずれか他の印刷装置に転送することを特徴とする請求項１１に記載の印刷処理方法。
【請求項１３】
前記印刷ジョブを完遂できない場合、未実行の印刷ジョブ情報を取得する取得ステップと、
前記取得ステップにより取得される未実行印刷ジョブ情報に基づいて未実行印刷ジョブを抽出する抽出ステップとを備え、
前記転送ステップは、抽出ステップにより抽出される前記未実行印刷ジョブを前記複数の印刷装置中のいずれか他の印刷装置に転送することを特徴とする請求項１１に記載の印刷処理方法。
【請求項１４】
前記転送ステップは、前記印刷装置において前記印刷ジョブを完遂できない場合、元の印刷ジョブと前記未実行印刷ジョブ情報とを前記複数の印刷装置中のいずれか他の印刷装置に転送することを特徴とする請求項１１に記載の印刷処理方法。
【請求項１５】
印刷ジョブを完遂できない状態から所定時間を計測する計測ステップを備え、
前記転送ステップは、前記時間計測ステップにより所定時間を計測した後、複数の印刷装置中のいずれか他の印刷装置に前記印刷ジョブを転送することを特徴とする請求項１１に記載の印刷処理方法。
【請求項１６】
前記計測ステップが計測すべき前記所定時間を設定する時間設定ステップを備えることを特徴とする請求項１１に記載の印刷処理方法。
【請求項１７】
前記転送ステップは、前記判断ステップにより完遂できないと判断した場合、前記印刷ジョブが完遂されるまで、複数の印刷装置の総数に適応して決定される最大転送回数分、前記複数の印刷装置中の他の印刷装置に前記印刷ジョブを順次転送を繰り返すことを特徴とする請求項１１に記載の印刷処理方法。
【請求項１８】
画像記録処理を行う印刷部を備え、無線接続するための無線接続手段を介して、所定の記録処理を行う任意数の印刷装置で１つのグループを構成して複数のグループがそれぞれ通信可能な印刷処理システムにおける印刷処理方法であって、
前記各印刷装置は、前記画像記憶装置から前記無線接続手段を介して受信した印刷ジョブの完遂の可否を判断する判断ステップと、
前記判断ステップにより完遂できないと判断した場合、該印刷ジョブを他グループを構成する複数の印刷装置中のいずれかの印刷装置に転送する転送ステップと、
を有することを特徴とする印刷処理方法。
【請求項１９】
前記転送ステップは、前記グループの総数に適応して決定される最大グループ転送回数分、次グループ中のいずれかの印刷装置に前記印刷ジョブを順次転送を繰り返すことを特徴とする請求項１８に記載の印刷処理方法。
【請求項２０】
前記最大グループ転送回数を設定するグループ数設定ステップを有することを特徴とする請求項１８に記載の印刷処理方法。
【請求項２１】
請求項１１〜２０のいずれかに記載の印刷処理方法を実現するプログラムを記憶したことを特徴とするコンピュータが読み取り可能な記憶媒体。
【請求項２２】
請求項１１〜２０のいずれかに記載の印刷処理方法を実現することを特徴とするプログラム。
【発明の詳細な説明】
【０００１】
【発明の属する技術分野】
本発明は、画像記録処理を行う印刷部を備え、無線接続するための無線接続手段を介して、外部の画像記憶装置または、所定の記録処理を行う複数の印刷装置と通信可能な印刷処理装置および印刷処理方法およびコンピュータが読み取り可能なプログラムを格納した記憶媒体およびプログラムに関するものである。
【０００２】
【従来技術】
近年、印刷処理装置を適用可能な印刷システムでは、種々の情報がディジタルデータの形態で取り扱われる機会が多くなりつつある。
【０００３】
例えば、画像記憶装置の１つであるディジタルカメラにおいては、被写体の光像を電気的な画像データに変換し、そのアナログの画像データをディジタル変換してディジタルカメラ本体内のメモリや、着脱可能なメモリカード、フレキシブルディスクなどの記憶媒体に記憶して保存している。これら記憶媒体に格納された画像データを出力する方法として、記憶媒体に保存された画像データをパーソナルコンピュータ（以下ＰＣ）を介して画像データを出力する方法と、ディジタルカメラと印刷装置を直接接続して画像データを出力する方法の２通りが一般的に採られている。
【０００４】
しかしながら、ＰＣやディジタルカメラ等の画像記憶装置と印刷装置が一対一で接続されている環境においては、印刷装置において、画像記憶装置から請け負った印刷ジョブを完遂できない時、印刷出力を得ることができない場合がある。
【０００５】
このような欠点を解消するものとして、ＰＣを介して出力する場合、印刷装置がネットワーク上に複数台接続される環境において、ある印刷装置が印刷ジョブを完遂できない場合でも、何らかの方法でその印刷ジョブを他の印刷装置に転送することによって、印刷出力を得ることが可能な印刷制御システムが存在する。
【０００６】
例えば、特開２００１−０６７１９５号公報においては、ネットワーク上のプリンタが印刷不可能であった場合、ネットワーク上を流れる印刷に使用される情報を印刷ログとして収集した印刷ログ及び予め記憶しておいた優先順位に基づいて印刷可能なプリンタを検索、決定、プロトコル変換、エミュレーション制御の後、該プリンタに印刷ジョブを転送するプリンタが開示されている。
【０００７】
また、特開平１０−３４０１６６号公報においては、ネットワークに接続された複数の印刷装置の中から、印刷処理情報に基づいて印刷待ち時間の少ない印刷装置を選択し、印刷待ち時間を短縮する印刷装置は開示されている。
【０００８】
さらに、特開平１０−０９１３７０号公報においては、複数のプリンタが自己の状態を検出し、該状態によって印刷可／不可を判断することによって、印刷先のプリンタを切り替えるプリンタは開示されている。
【０００９】
また、特開平１１−３１４４３８号公報においては、ネットワーク上にある他のプリンタ情報（プリンタ言語、状態）を記憶しておくことによって、印刷途中に障害が発生した時、該情報に基づいてネットワーク上のほかのプリンタに印刷ジョブを転送し、印刷済みのページは印刷しないように指示し、未印刷ページのみを印刷続行するプリンタは開示されている。
【００１０】
【発明が解決しようとする課題】
しかしながら、この種の印刷装置及び印刷制御システムでは、印刷ジョブを請け負った印刷装置が、何らかの制限（残り用紙枚数、用紙種類などの制限）で、その印刷ジョブを完全に実行できない状態にある時、その印刷ジョブを転送できる他の印刷装置は、予め記憶（登録）されている印刷装置に限られる。
【００１１】
例えば、特開２００１−０６７１９５号公報においては、予め収集された印刷ログか、または、予め記憶しておいた優先順位に基づいて、印刷ジョブを転送する印刷装置を検索、決定している。
【００１２】
また、特開平１０−３４０１６６号公報においては、予め接続された複数の印刷装置の中から、転送する印刷装置を選択している。
【００１３】
また、特開平１０−０９１３７０号公報においても同様である。
【００１４】
さらに、特開平１１−３１４４３８号公報においては、予め記憶されたネットワーク上にあるプリンタ情報に基づいて印刷ジョブを転送している。
【００１５】
つまり、この種の印刷装置及び印刷制御システムにおいては、予め印刷装置において記憶された他の印刷装置に対してのみ、印刷ジョブを転送することが可能であり、新たに前記印刷装置に接続された印刷装置へは転送できない。
【００１６】
近年、ディジタル機器の小型化が進み、携帯性に優れた機器が多く登場し、さらに、無線通信技術の革新に伴い、複数の携帯機器を頻繁に無線接続／切断するという機会が増えてきている。
【００１７】
図１６は、従来の無線印刷システムの構成を説明する図であり、例えばは、画像記憶装置の１つであるディジタルカメラＳ００１と小型プリンタＳ００２〜Ｓ００４，Ｓ００５，Ｓ００７とが通信可能なシステムに対応する。ただし、小型プリンタＳ００７は、小型プリンタＳ００２には未登録の小型プリンタであり、印刷ジョブを実行できない場合に対する代替候補として選択されることはないものとする。
【００１８】
このような技術的背景の中、従来技術の印刷装置制御システムでは、１台の画像記憶装置に対して１台の印刷装置（印刷装置Ｘ）が無線接続されている環境において、前記印刷装置（印刷装置Ｘ）にて印刷ジョブを完遂できない時、エラー終了するか、あるいは、前記印刷装置（印刷装置Ｘ）が接続可能な印刷装置（印刷装置Ｐ１、印刷装置Ｐ２、…、印刷装置ＰＮ）の中から、前記印刷ジョブを印刷可能な他の印刷装置を検索し、その結果検出された印刷装置に対して印刷ジョブを転送する。
【００１９】
この時、転送可能な印刷装置（印刷装置Ｐ２）は、予め印刷装置（印刷装置Ｘ）に記憶している印刷装置であり、新たに接続された印刷装置Ｓ００７（印刷装置Ｐ）に対しては転送不可能であった。
【００２０】
新たに接続された印刷装置Ｓ００７（印刷装置Ｐ）に対して転送を行い、印刷を完遂させるためには、新たに接続された印刷装置（印刷装置Ｐ）を前記印刷装置（印刷装置Ｘ）に記憶し、印刷ジョブを再実行するという煩雑な作業が発生し、簡単かつ確実に印刷を行えないという欠点を有する。
【００２１】
本発明は、上記の問題点を解決するためになされたもので、本発明の目的は、画像記憶装置と印刷装置を無線接続し、前記印刷装置に無線接続手段を介して送信した印刷ジョブを前記印刷装置にて完遂できない時、前記画像記憶装置において、新たに無線接続可能な印刷装置を検索し、その結果検出された印刷装置に前記印刷ジョブを転送することにより、１台の画像記憶装置に対して複数の印刷装置中の任意に選択される１台の印刷装置が無線接続され、該接続された印刷装置にさらに他の複数の印刷装置中のいずれかの印刷装置が無線接続されている印刷システム環境において、印刷装置の可動状態が動的に変動しても、常に無線印刷システムを構成している現時点の印刷装置中のいずれかの印刷装置を選択して容易にかつ確実に印刷ジョブを処理させることができるとともに、該印刷ジョブを中断しても、他の印刷装置を特定して該中断した印刷ジョブを正常に印刷処理できるように印刷処理を再開できる利便性と拡張性に優れた印刷処理装置および印刷処理システムおよび印刷処理方法およびコンピュータが読み取り可能なプログラムを格納した記憶媒体およびプログラムを提供することである。
【００２２】
【課題を解決するための手段】
上記目的を達成する本発明は以下に示す構成を備える。
【００２３】
本発明は、画像記録処理を行う印刷部を備え、無線接続するための無線接続手段を介して、外部の画像記憶装置または、所定の記録処理を行う複数の印刷装置と通信可能な印刷処理装置であって、前記画像記憶装置から前記無線接続手段を介して受信した印刷ジョブを完遂の可否を判断する判断手段と、前記判断手段により完遂できないと判断した場合、前記無線接続手段によって接続可能な複数の印刷装置中より印刷可能な他の印刷装置を検索する検索手段と、前記検索手段により検索された印刷装置に前記印刷ジョブを前記無線接続手段を介して転送する転送手段とを具備したことを特徴とする。
【００２４】
また、本発明は、画像記録処理を行う印刷部を備え、無線接続するための無線接続手段を介して、所定の記録処理を行う任意数の印刷装置で１つのグループを構成して複数のグループがそれぞれ通信可能な印刷処理システムであって、各印刷装置は、前記画像記憶装置から前記無線接続手段を介して受信した印刷ジョブを完遂の可否を判断する判断手段と、前記判断手段により完遂できないと判断した場合、該印刷ジョブを他グループを構成する複数の印刷装置中のいずれかの印刷装置に転送する転送手段とを有することを特徴とする。
【００２５】
【発明の実施の形態】
〔第１実施形態〕
図１は、本発明の第１実施形態を示す印刷処理システムにおける印刷装置の構成を説明するブロック図である。なお、本実施形態における無線通信は、Ｂｌｕｅｔｏｏｔｈ（登録商標）によるものとする。ここで、本実施形態において適用する無線接続手段の構成について説明する。
【００２６】
Ｂｌｕｅｔｏｏｔｈ（登録商標）は現状の規格では通信速度が１Ｍｂｐｓで通信距離も１０ｍ程度と、ＩＥＥＥ８０２．１１ｂより低速で通信距離が短い。携帯電話とヘッドセット間や携帯型ＰＣと携帯電話間の通信等の手近なアプリケーションを想定して規格化されたものである。
【００２７】
ＩＥＥＥ８０２．１１ｂが採用しているＤＳ方式に対してＢｌｕｅｔｏｏｔｈ（登録商標）はＦＨ方式を採用している。Ｂｌｕｅｔｏｏｔｈ（登録商標）では、物理層やリンク層の規格のほか、各アプリケーションを想定して各アプリケーション毎にプロトコルスタックの実装方法を規定するプロファイルと呼ばれる仕様を定めている。これらのプロファイルには、現在開発中のものも含め、ヘッドセット・プロファイル、ダイヤルアップ・ネットワーキング・プロファイル、ファイル転送プロファイル、プリンティング・プロファイル等種々の仕様が定められつつある。これらは、ヘッドセットへ音声データを出力するためのアプリケーション、ダイヤルアップを行うためのアプリケーション、ファイル転送を行うアプリケーション、プリンティングを行うアプリケーション等、各アプリケーション毎に定められるものであり、通信を行う双方の機器がアプリケーションに該当するプロファイルに従っていなければならない。例えば、Ｂｌｕｅｔｏｏｔｈ（登録商標）を利用して携帯型端末装置（後述するディジタルカメラを含む）等からプリンタにプリント出力させるためには、前記携帯型端末装置等と前記プリンタは共にＢｌｕｅｔｏｏｔｈ（登録商標）の規格に従った物理層や上位層を実装すると共に、上記プリンティング・プロファイルに従っていなければならない。
【００２８】
図１において、Ｓ１０１は制御装置で、図示しないバスを介して接続される各手段を総括的に制御する。Ｓ１０２は印刷データなどを記憶しておくメモリ手段である。
【００２９】
Ｓ１０３は無線接続手段で、記録紙に記録する手段を有する他の印刷装置と無線によって接続する。Ｓ１０４は送受信手段で、前記無線接続手段Ｓ１０３によって接続された外部装置とディジタル情報を送受信する。
【００３０】
Ｓ１０５は検出手段で、前記無線接続手段Ｓ１０３によって無線接続可能な印刷装置を検出する。Ｓ１０６は転送手段で、後述する複数の印刷装置（印刷装置Ｐ１、印刷装置Ｐ２、…、印刷装置ＰＮ）に印刷ジョブを転送する。
【００３１】
なお、説明上、物理的に接続可能な印刷装置を印刷装置Ｐ１、印刷装置Ｐ２、…、印刷装置ＰＮと示したり、物理的に接続可能な印刷装置を印刷装置Ｘ１、印刷装置Ｘ１から印刷装置Ｘ２、…、印刷装置ＸＬ−１，印刷装置ＸＬと示したりする。そして、印刷装置Ｐ１〜ＰＮ中で、通信接続可能と検索された印刷装置を印刷装置Ｘとして示すものとする。
【００３２】
Ｓ１０７は転送手段で、転送手段Ｓ１０６によって、元の印刷ジョブを他の印刷装置（印刷装置Ｐ１、印刷装置Ｐ２、…、印刷装置ＰＮのいずれか）に転送する。
【００３３】
Ｓ１０８は転送手段で、転送手段Ｓ１０６によって、印刷装置（印刷装置Ｘ）において完遂できなかった印刷ジョブ、つまり未実行印刷ジョブを他の印刷装置（印刷装置Ｐ１、印刷装置Ｐ２、…、印刷装置ＰＮのいずれか）に転送する。
【００３４】
Ｓ１０９は転送手段で、転送手段Ｓ１０６によって印刷装置（印刷装置Ｘ）において完遂できなかった印刷ジョブに関する情報、つまり未実行印刷ジョブ情報と、元の印刷ジョブとを他の印刷装置（印刷装置Ｐ１、印刷装置Ｐ２、…、印刷装置ＰＮのいずれか）に転送する。
【００３５】
Ｓ１１０は未実行印刷ジョブ情報取得手段で、転送手段Ｓ１０６において、未実行印刷ジョブを他の印刷装置（印刷装置Ｐ１、印刷装置Ｐ２、…、印刷装置ＰＮのいずれか）に転送するために、未実行印刷ジョブに関する情報を取得する。
【００３６】
Ｓ１１１は時間計測手段で、印刷装置（印刷装置Ｘ）において印刷ジョブを完遂できない場合、印刷ジョブを完遂できない状況に陥ってからある一定時間が経過した後に前記印刷ジョブを他の印刷装置（印刷装置１、印刷装置２、…、印刷装置Ｎのいずれか）に転送するために、時間を計測する。
【００３７】
Ｓ１１２は再送時間設定手段で、時間計測手段Ｓ１１１によって計測される、転送を開始するまでの時間を設定する。
【００３８】
Ｓ１１３は転送手段で、印刷装置（印刷装置Ｘ）が印刷ジョブを完遂できない場合、転送手段Ｓ１０６によって、最大Ｍｍａｘ回、他の印刷装置（印刷装置１、印刷装置２、…、印刷装置  Ｍ（Ｍ？Ｍｍａｘ））に前記印刷ジョブの転送を繰り返す。
【００３９】
Ｓ１１４は転送回数設定手段で、転送手段Ｓ１１３によって転送できる最大回数Ｍｍａｘを設定する。Ｓ１１５はプリントボタン、Ｓ１１６は電源スイッチＳ１１７は液晶ディスプレイ（ＬＣＤ）からなる表示手段である。
【００４０】
Ｓ１１８は印刷能力取得手段で、無線接続手段Ｓ１０３によって無線接続された印刷装置の能力に関する情報を取得する。Ｓ１１９は未実行印刷ジョブ抽出手段で、未実行印刷ジョブ情報取得手段Ｓ１１０によって取得された未実行印刷ジョブ情報に基づいて、元の印刷ジョブより未実行印刷ジョブを抽出する。
【００４１】
Ｓ１２０はプリンタ部で、画像ディジタル情報などを視認可能に記録媒体に出力する、つまり記録紙にプリントする。
【００４２】
Ｓ１２１はプリンタ制御部で、前記プリンタ部Ｓ１２０を制御する。Ｓ１２２は画像処理手段で、画像ディジタル情報を印刷出力する。
【００４３】
Ｓ１２３は転送手段で、印刷装置（印刷装置Ｘ）が印刷ジョブを完遂できない場合、転送手段Ｓ１０６によって、最大Ｌｍａｘ回、他の印刷装置（印刷装置Ｘから印刷装置Ｘ１、印刷装置Ｘ１から印刷装置Ｘ２、…、印刷装置ＸＬ−１から印刷装置ＸＬ（Ｌ≦Ｌｍａｘ））へ前記印刷ジョブの転送を繰り返す。Ｓ１２４は無線接続手段で、画像記憶装置などの外部装置と無線によって接続する。
【００４４】
Ｓ１２５は転送回数設定手段で、転送手段Ｓ１２３によって転送できる印刷装置の最大回数Ｌｍａｘを設定する。
【００４５】
図２は、本発明に係る画像記憶装置の一例を示す図であり、例えばディジタルカメラの例に対応する。
【００４６】
図２において、Ｓ２０１はシャッタボタン、Ｓ２０２はファインダ、Ｓ２０３はストロボ、Ｓ２０４はレンズ、Ｓ２０５は液晶ディスプレイ（ＬＣＤ）、Ｓ２０６は送りボタン、Ｓ２０７は戻しボタン、Ｓ２０８はプリントボタンである。
【００４７】
図３は、本発明に係る印刷システムにおける印刷装置の一例を示す外観図であり、例えば図１に示すハードウエアを備える小型プリンタに対応する。
【００４８】
図３において、Ｓ３０１は本印刷装置に着脱可能に装填される記録媒体、Ｓ３０２は本印刷装置によって記録済みの記録紙、Ｓ３０３は前記記録媒体Ｓ３０１の装填口、Ｓ３０４は前記記録紙Ｓ３０２の排出口、Ｓ３０５は電源ＳＷ、Ｓ３０６は無線通信部材である。なお、記録媒体Ｓ３０１は画像情報及びプリンティング条件等を所定のファイルフォーマット（例えばＤＰＯＦ）形式で記憶可能に構成されている。
【００４９】
本発明の第１実施形態として、画像記憶装置の１つであるディジタルカメラと、印刷装置の１つである小型プリンタが、無線接続の１つの手段である、例えばＢｌｕｅｔｏｏｔｈ（商品名）によって接続されている形態で、前記印刷装置は、検出手段Ｓ１０５、転送手段Ｓ１０６、転送手段Ｓ１０７を具備したことを特徴とする。
【００５０】
図４は、本発明に係る印刷処理システムの構成を説明するシステム構成図である。
【００５１】
図４において、Ｓ４０１は画像記憶装置の１つであるディジタルカメラ、Ｓ４０２は無線通信可能な印刷装置群の１つである選択された小型プリンタＸとする。
【００５２】
Ｓ４０３は無線通信可能な印刷装置群の１つである小型プリンタ、Ｓ４０４は、無線通信可能な印刷装置群の１つである小型プリンタ、Ｓ４０５は無線通信可能な印刷装置群の１つである小型プリンタＮであり、各プリンタは、図１に示した構成を備える。
【００５３】
Ｓ４０６は小型プリンタＸ（Ｓ４０２）に、Ｎ台（Ｎ≧１）の小型プリンタ小型プリンタＳ４０３、小型プリンタＳ４０４、…、小型プリンタＳ４０５がＢｌｕｅｔｏｏｔｈ（登録商標）によって無線接続中の状態を示す。
【００５４】
Ｓ４０７は前記ディジタルカメラＳ４０１と前記小型プリンタＳ４０２がＢｌｕｅｔｏｏｔｈ（登録商標）によって無線接続中の状態を示す。
【００５５】
ディジタルカメラＳ４０１から請け負った印刷ジョブを、該ディジタルカメラＳ４０１と無線（Ｂｌｕｅｔｏｏｔｈ（登録商標））接続した小型プリンタ（小型プリンタＳ４０２）において印刷する際に、該小型プリンタ（小型プリンタＳ４０２）において該印刷ジョブを完遂できない場合、該小型プリンタ（小型プリンタＳ４０２）が無線（Ｂｌｕｅｔｏｏｔｈ（登録商標））接続可能な他の小型プリンタ候補（小型プリンタＳ４０３、小型プリンタＳ４０４、…（図示しない）、小型プリンタＳ４０５）を検索し、その結果検出された小型プリンタ（小型プリンタＳ４０３、小型プリンタＳ４０４、…、小型プリンタＳ４０５のいずれか）に前記印刷ジョブを転送することによって該印刷ジョブを完遂する。
【００５６】
図５は、本発明に係る印刷処理システムにおける第１のデータ処理手順の一例を示すフローチャートであり、図４に示したプリンタＳ４０２によるデータ処理手順に対応する。なお、（１）〜（２６）は各ステップを示し、各ステップはメモリ手段Ｓ１０２に記憶され、制御装置Ｓ１０１により実行される。
【００５７】
ステップ（１）で、本アルゴリズムに基づく処理が開始され、ステップ（２）では、電源スイッチ（電源ＳＷ）がＯＮであるか否かを判断して、ＯＮであると判断した場合（「はい」）は、ステップ（３）へ進み、ＯＮでない（ＯＦＦ（「いいえ」）である）と判断した場合、そのまま待機する。
【００５８】
そして、ステップ（３）では、無線接続手段Ｓ１２４によって無線（Ｂｌｕｅｔｏｏｔｈ（登録商標））接続されたディジタルカメラＳ４０１から印刷ジョブを受信したか否かを判断して、「はい」であると判断した場合は、該印刷ジョブを前記メモリ手段Ｓ１０２によって記憶し、ステップ（４）へ進み、「いいえ」であればそのまま待機する。
【００５９】
そして、ステップ（４）では、印刷ジョブを本印刷装置にて完遂可能か否かを判断して、「はい」であると判断した場合は、ステップ（２２）へ進み、「いいえ」であると判断した場合は、ステップ（５）へ遷移する。
【００６０】
そして、ステップ（５）では、図１に示した検出手段Ｓ１０５によって無線（Ｂｌｕｅｔｏｏｔｈ（登録商標））接続（所定のプロトコルで動的に接続確認処理される）によって接続可能な他の小型プリンタを検出（登録の有無に関わらず全て）する。
【００６１】
次に、ステップ（６）では、ステップ（５）において検出された小型プリンタの一覧を表示手段Ｓ１１７によって液晶ディスプレイ（ＬＣＤ）上に表示する。
【００６２】
ステップ（７）では、ステップ（５）において１台以上の小型プリンタが表示されたか否かを判断して、「はい」であると判断した場合は、ステップ（９）へ、「いいえ」であればステップ（８）へそれぞれ遷移する。
【００６３】
そして、ステップ（８）では、エラーメッセージを表示手段Ｓ１１７によって液晶ディスプレイ（ＬＣＤ）上に表示し、前記送受信手段Ｓ１０４によって前記ディジタルカメラにエラーステータスを返信し、ステップ（２）へ遷移する。
【００６４】
一方、ステップ（９）では、ステップ（７）において表示された小型プリンタ一覧から印刷させたい小型プリンタが選択されたか否かを判断して、「はい」であると判断した場合は、ステップ（１０）へ、「いいえ」であればそのまま待機する。
【００６５】
そして、ステップ（１０）では、ステップ（９）において、選択された小型プリンタが印刷可能（イメージングプロファイルをサポートしているか否か等）であるか否かを判断して、「はい」であると判断した場合は、ステップ（１１）へ、「いいえ」であると判断した場合は、エラーメッセージを表示手段Ｓ１１７によって液晶ディスプレイ（ＬＣＤ）上に表示し、最初に実行されるステップ（１１）において、メモリ手段Ｓ１０２に記憶された小型プリンタ候補を、ステップ（６）において表示された小型プリンタ候補の一覧から削除し、ステップ（６）へ遷移する。
【００６６】
そして、ステップ（１１）では、ステップ（９）において選択された小型プリンタをメモリ手段Ｓ１０２によって記憶する。そして、ステップ（１２）では、ステップ（１１）に記憶される小型プリンタ候補と無線接続手段Ｓ１０３によって無線（Ｂｌｕｅｔｏｏｔｈ（登録商標））接続する。
【００６７】
次に、ステップ（１３）では、ステップ（１２）において接続された小型プリンタの能力に関する情報（能力情報）を印刷能力取得手段Ｓ１１８によって取得する。そして、ステップ（１４）では、ステップ（１３）において、取得された印刷装置の能力情報によって、ステップ（３）において記憶された印刷ジョブを完遂可能であるか否かを判断して、「はい」であると判断した場合は、ステップ（１５）へ、「いいえ」であると判断した場合は、ステップ（１６）へそれぞれ遷移する。
【００６８】
そして、ステップ（１５）では、ステップ（３）において、記憶された印刷ジョブの転送を開始する。次に、ステップ（１６）では、エラーメッセージを前記表示手段Ｓ１１７によって液晶ディスプレイ（ＬＣＤ）上に表示し、送受信手段Ｓ１０４によって前記ディジタルカメラＳ４０１にエラーステータスを返信し、ステップ（２）へ遷移する。
【００６９】
一方、ステップ（１７）では、ステップ（１１）において、記憶される小型プリンタが接続されたか否かを判断して、「はい」であると判断した場合は、ステップ（１８）へ、「いいえ」であると判断した場合は、そのまま待機する。
【００７０】
そして、ステップ（１８）では、ステップ（１１）において、記憶された小型プリンタからＤＰＯＦイメージの取得要求があるか否かを判断して、「はい」であると判断した場合は、ステップ（１９）へ、「いいえ」であると判断した場合は、そのまま待機する。
【００７１】
そして、ステップ（１９）では、ステップ（１１）において記憶された小型プリンタへ、ｊ番目イメージ中、ｉ番目の部分イメージを無線（Ｂｌｕｅｔｏｏｔｈ（登録商標））接続を介して転送手段Ｓ１０６によって転送する。
【００７２】
なお、本実施形態では、ｍ枚（１≦ｊ≦ｍ）のＤＰＯＦイメージが記憶され、各イメージはｎ（１≦ｉ≦ｎ）個に分割して送信するものとする。
【００７３】
次に、ステップ（２０）では、ステップ（１１）において、記憶された小型プリンタから接続切断要求があるか否かを判断して、「はい」であると判断した場合は、ステップ（２１）へ、「いいえ」であると判断した場合は、ステップ（１８）へそれぞれ遷移する。
【００７４】
そして、ステップ（２１）では、ステップ（１１）において、記憶された小型プリンタと前記無線接続手段Ｓ１０３によって接続された無線（Ｂｌｕｅｔｏｏｔｈ（登録商標））接続を切断して、ステップ（２６）で、本処理を終了する。
【００７５】
一方、ステップ（４）で、「はい」であると判断された場合は、ステップ（２２）では、プリンタ制御部Ｓ１２１を介してプリンタ部Ｓ１２０を駆動し、予備吐出、目詰まり解消、ノズルの回復等を行う。
【００７６】
そして、ステップ（２３）では、必要であればステップ（３）において、メモリ手段Ｓ１０２によって記憶された印刷ジョブに、画像処理手段Ｓ１２２によって適切な画像処理を行う。
【００７７】
次に、ステップ（２４）では、プリンタ制御部Ｓ１２１を介してプリンタ部Ｓ１２０を駆動し、ステップ（３）において、メモリ手段Ｓ１０２によって記憶された印刷ジョブを印刷する。
【００７８】
そして、ステップ（２５）では、印刷済み記録紙が記録紙排出口より排出されたら、ステップ（２６）で、本処理を終了する。
【００７９】
なお、ステップ（１５）における転送手段Ｓ１０６は、具体的には転送手段Ｓ１０７であり、この時転送される印刷ジョブは、小型プリンタＸがディジタルカメラより請け負った元の印刷ジョブそのものである。
【００８０】
〔第２実施形態〕
第２実施形態として、上記第１実施形態の変形例、具体的には、画像記憶装置の１つであるディジタルカメラと、印刷装置の１つである小型プリンタ（小型プリンタＸ）が、無線接続の１つであるＢｌｕｅｔｏｏｔｈ（登録商標）によって接続されている形態で、小型プリンタ（小型プリンタＸ）は、検出手段Ｓ１０５、転送手段Ｓ１０６、転送手段Ｓ１０８、未実行印刷ジョブ情報取得手段Ｓ１１０、未実行印刷ジョブ抽出手段Ｓ１１９を具備して、元の印刷ジョブから未実行印刷ジョブを抽出し、未実行印刷ジョブのみを転送することによって、同じ印刷ジョブを何度も送信するという無駄を省き、効率的な印刷処理を行えるという効果が得られるように構成してもよい。以下、その実施形態について説明する。
【００８１】
図６は、本発明に係る印刷処理システムにおける第２のデータ処理手順の一例を示すフローチャートであり、図４に示したプリンタＳ４０２によるデータ処理手順に対応する。なお、（１）〜（２８）は各ステップを示し、各ステップはメモリ手段Ｓ１０２に記憶され、制御装置Ｓ１０１により実行される。また、ステップ（１）〜（２６）については、図５と同様であるので、その重複するステップの説明は省略する。
【００８２】
図６に示すステップ（１４）で、「はい」と判断された場合に、ステップ（２７）では、ステップ（３）において受信した印刷ジョブのうち、本小型プリンタ（小型プリンタＸ）において完遂できない印刷ジョブ、つまり、未実行印刷ジョブに関する情報を取得し、前記メモリ手段Ｓ１０２によって記憶する。
【００８３】
そして、ステップ（２８）では、ステップ（２７）において記憶された未実行印刷ジョブ情報に基づいて、前記未実行印刷ジョブ抽出手段Ｓ１１９によって未実行印刷ジョブを抽出し、前記メモリ手段Ｓ１０２によって記憶する。
【００８４】
次に、図６に示すステップ（１５）では、ステップ（２８）において記憶された未実行印刷ジョブの転送を開始する。
【００８５】
なお、ステップ（１５）における転送手段Ｓ１０６は、具体的には転送手段Ｓ１０８であり、この時転送される印刷ジョブは、小型プリンタ（小型プリンタＸ）において完遂できない印刷ジョブ、つまり、未実行印刷ジョブである。
【００８６】
〔第３実施形態〕
第３実施形態として、上記第１実施形態の変形例、具体的には、画像記憶装置の１つであるディジタルカメラと、印刷装置の１つである小型プリンタ（小型プリンタＸ）が、無線接続の１つであるＢｌｕｅｔｏｏｔｈ（登録商標）によって接続されている形態で、小型プリンタ（小型プリンタＸ）は、検出手段Ｓ１０５、転送手段Ｓ１０６、転送手段Ｓ１０８、未実行印刷ジョブ情報取得手段Ｓ１１０を具備して、元の印刷ジョブから未実行印刷ジョブを抽出し、未実行印刷ジョブのみを転送することによって、同じ印刷ジョブを何度も送信するという無駄を省き、効率的な印刷処理を行えるという効果が得られるように構成してもよい。以下、その実施形態について説明する。
【００８７】
実施形態１において、前記小型プリンタ（小型プリンタＸ）が無線（Ｂｌｕｅｔｏｏｔｈ（登録商標））接続可能な他の小型プリンタ（小型プリンタ１、小型プリンタ２、…、小型プリンタＮ）に転送する印刷ジョブは、前記小型プリンタ（小型プリンタＸ）において実行できなかった、未実行の印刷ジョブに関する情報と、元の印刷ジョブそのものであっても良い。
【００８８】
図７は、本発明に係る印刷処理システムにおける第３のデータ処理手順の一例を示すフローチャートであり、図４に示したプリンタＳ４０２によるデータ処理手順に対応する。なお、（１）〜（２７）は各ステップを示し、各ステップはメモリ手段Ｓ１０２に記憶され、制御装置Ｓ１０１により実行される。また、ステップ（１）〜（２６）については、図５と同様であるので、その重複するステップの説明は省略する。
【００８９】
図７に示すステップ（１４）で、「はい」と判断された場合に、ステップ（２７）では、ステップ（３）において受信した印刷ジョブのうち、本小型プリンタ（小型プリンタＸ）において完遂できない印刷ジョブ、つまり、未実行印刷ジョブに関する情報を取得し、メモリ手段Ｓ１０２によって記憶する。
【００９０】
そして、ステップ（２７）に続く、ステップ（１５）では、ステップ（２７）において記憶した未実行印刷ジョブに関する情報と、ステップ（３）において記憶した元の印刷ジョブそのものの転送を開始する。
【００９１】
なお、ステップ（１５）における転送手段Ｓ１０６は、具体的には転送手段Ｓ１０９であり、この時転送される印刷ジョブは、小型プリンタ（小型プリンタＸ）において完遂できない印刷ジョブに関する未実行印刷ジョブ情報と、元の印刷ジョブそのものである。
【００９２】
ただし、前記小型プリンタ（小型プリンタＸ）が、未実行印刷ジョブ情報と元の印刷ジョブとを転送する、他の小型プリンタ（小型プリンタ１、小型プリンタ２、…、小型プリンタＮ）は、いずれも未実行印刷ジョブ抽出手段Ｓ１１９を有するものとする。
【００９３】
〔第４実施形態〕
上記第１〜第３実施形態においては、例えば図５に示すステップ（４）で「いいえ」と判断された場合に、ステップ（５）へ進み、印刷装置の検出処理を行う場合について説明したが、完遂できない要因が、例えば用紙切れ等が発生する場合に他の印刷装置へ転送してしまうと、ユーザによる用紙補給操作等が無駄となってしまう場合もある。
【００９４】
そこで、一定時間の監視時間を設けて、再度完遂可能かどうかを再判定して、印刷装置において印刷ジョブを完遂できない状態に陥ってから、ある一定時間経過した後に、他の印刷装置を検索し転送することによって、一時的に印刷できない（例えば用紙不足など）状態に陥った印刷装置からも、ある一定時間以内に復帰（例えば用紙補充）した時、該印刷装置から印刷出力を得られるように構成してもよい。以下、その実施形態について説明する。
【００９５】
なお、第４実施形態として、上記第１実施形態の変形例、具体的には、画像記憶装置の１つであるディジタルカメラと、印刷装置の１つである小型プリンタ（小型プリンタＸ）が、無線接続インタフェースの１つであるＢｌｕｅｔｏｏｔｈ（登録商標）によって接続されている形態で、小型プリンタ（小型プリンタＸ）は、検出手段Ｓ１０５、転送手段Ｓ１０６、転送手段Ｓ１０７，時間計測手段Ｓ１１１を具備して、前記小型プリンタ（小型プリンタＸ）が前記印刷ジョブを受信してからある一定時間経過した後、前記小型プリンタ（小型プリンタＸ）が無線（Ｂｌｕｅｔｏｏｔｈ（登録商標））接続可能な他の小型プリンタ（小型プリンタ１、小型プリンタ２、…、小型プリンタＮ）に、印刷ジョブの転送を開始する。
【００９６】
図８は、本発明に係る印刷処理システムにおける第４のデータ処理手順の一例を示すフローチャートであり、図４に示したプリンタＳ４０２によるデータ処理手順に対応する。なお、（１）〜（２６），（２９）は各ステップを示し、各ステップはメモリ手段Ｓ１０２に記憶され、制御装置Ｓ１０１により実行される。また、ステップ（１）〜（２６）については、図５と同様であるので、その重複するステップの説明は省略する。
【００９７】
図８に示すステップ（４）で、「いいえ」と判断された場合に、ステップ（２９）で、図４に示した時間計測手段Ｓ１１１によって、ステップ（３）において印刷ジョブを受信してから経過した時間を計測し、ある一定の時間が経過したか否かを判断して、「はい」であると判断した場合は、ステップ（５）へ、「いいえ」であると判断した場合は、ステップ（４）へ遷移する。
【００９８】
なお、ステップ（１５）における転送手段Ｓ１０６は、転送手段Ｓ１０７に限らず、転送手段Ｓ１０８、転送手段Ｓ１０９であっても良い。
【００９９】
〔第５実施形態〕
上記第４実施形態では、ステップ（２９）において、一定時間経過を監視して、再度印刷ジョブを完遂できるかどうかを判断する場合について説明したが、上記一定時間をユーザの印刷システムの環境に応じて、任意の時間を設定可能に構成して、ユーザの利便性を向上させてもよい。以下、その実施形態について説明する。
【０１００】
本実施形態では、画像記憶装置の１つであるディジタルカメラと、印刷装置の１つである小型プリンタが、無線接続インタフェースの１つであるＢｌｕｅｔｏｏｔｈ（登録商標）によって接続されている形態であり、前記印刷装置は、検出手段Ｓ１０５、転送手段Ｓ１０６、転送手段Ｓ１０７、時間計測手段Ｓ１１１、再送時間設定手段Ｓ１１２を具備して、該設定された時間後に、前記小型プリンタ（小型プリンタＸ）が無線（Ｂｌｕｅｔｏｏｔｈ（登録商標））接続可能な他の小型プリンタ（小型プリンタ１、小型プリンタ２、…、小型プリンタＮ）に、印刷ジョブの転送を開始する。
【０１０１】
図９は、本発明に係る印刷処理システムにおける第５のデータ処理手順の一例を示すフローチャートであり、図４に示したプリンタＳ４０２によるデータ処理手順に対応する。なお、（１０１）〜（１０９）は各ステップを示し、各ステップはメモリ手段Ｓ１０２に記憶され、制御装置Ｓ１０１により実行される。
【０１０２】
まず、ステップ（１０１）で、本処理が開始され、ステップ（１０２）で、電源ＳＷがＯＮであるか否かを判断して、「はい」であると判断した場合は、ステップ（１０３）へ、「いいえ」であると判断した場合は、そのまま待機する。
【０１０３】
そして、ステップ（１０３）では、設定モードであるか否かを判断して、「はい」であると判断した場合は、ステップ（１０５）へ、「いいえ」であると判断した場合は、ステップ（１０４）へ遷移する。
【０１０４】
そして、ステップ（１０４）では、設定モード以外のモード（例えば撮影モード、再生モード、印刷モード等）に応じた動作を行う。次に、ステップ（１０５）で、再送時間設定モードであるか否かを判断して、「はい」であると判断した場合は、ステップ（１０６）へ、「いいえ」であると判断した場合は、ステップ（１０７）へ遷移する。
【０１０５】
そして、ステップ（１０６）で、再送時間設定手段Ｓ１１２によって、転送時間が入力されたか否かを判断して、「はい」であると判断した場合は、ステップ（１０８）へ、「いいえ」であると判断した場合は、そのまま待機する。
【０１０６】
次に、ステップ（１０７）では、その他設定モード（例えば最大転送台数設定モード等）に応じた動作を行い、ステップ（１０９）で、処理を終了する。
【０１０７】
一方、ステップ（１０８）では、ステップ（１０６）において、入力された再送時間をメモリ手段Ｓ１０２によって記憶させ、ステップ（１０９）で、本処理を終了する。
【０１０８】
なお、再送時間設定手段Ｓ１１２によって設定された転送時間に基づいて、印刷ジョブの転送を実施する処理手順は図８と同様である。
【０１０９】
〔第６実施形態〕
上記第１〜第５実施形態については、プリンタＸとしての小型プリンタＳ４０２が他の小型プリンタＳ４０３等に対して、完遂できない印刷ジョブを順次転送処理する場合について説明したが、転送された印刷ジョブを受信する小型プリンタ自身が印刷ジョブを完遂できない場合には、該できないと通知している小型プリンタを除く、他の小型プリンタへ印刷ジョブの転送を行うように制御するように構成してもよい。
【０１１０】
図１０は、本発明に係る印刷処理システムの他の構成を説明するシステム構成図である。
【０１１１】
図１０において、Ｓ１００１は画像記憶装置の１つであるディジタルカメラ、Ｓ１００２は印刷装置の１つである小型プリンタ（以下、小型プリンタＸと呼ぶ）、Ｓ１００３は印刷装置の１つである小型プリンタ、Ｓ１００４は印刷装置の１つである小型プリンタ、Ｓ１００５は印刷装置の１つである小型プリンタ、Ｓ１００６は前記小型プリンタＳ１００２に、Ｍ台（Ｍ≧１）の小型プリンタ（小型プリンタＳ１００３、小型プリンタＳ１００４、…、小型プリンタＳ１００５）がＢｌｕｅｔｏｏｔｈ（登録商標）によって無線接続された状態を示し、小型プリンタＸから小型プリンタ１へ、小型プリンタＸから小型プリンタ２へ、以下同様、小型プリンタＸから小型プリンタＭ（Ｍ≦Ｍｍａｘ）まで転送を繰り返す。
【０１１２】
Ｓ１００７は、ディジタルカメラＳ１００１と小型プリンタＳ１００２がＢｌｕｅｔｏｏｔｈ（登録商標）によって無線接続されている状態を示す。
【０１１３】
このように構成された印刷システムにおいて、小型プリンタ（小型プリンタＸ）において、該印刷ジョブを完遂できない場合、前記小型プリンタ（小型プリンタＸ）が無線（Ｂｌｕｅｔｏｏｔｈ（登録商標））接続可能な他のプリンタ（小型プリンタ１、小型プリンタ２、…、小型プリンタＭ（Ｍ≦Ｍｍａｘ））を検出し、プリンタのうち、いずれか１台の小型プリンタ（例えば小型プリンタ１）へ前記印刷ジョブを転送する。
【０１１４】
さらに、小型プリンタ（小型プリンタ１）において、前記印刷ジョブを完遂できない場合、前記小型プリンタ（小型プリンタ１）を除いた、小型プリンタ（小型プリンタＸ）が無線（Ｂｌｕｅｔｏｏｔｈ（登録商標））接続可能な他のプリンタ（例えば小型プリンタ２）へ前記印刷ジョブを転送する。
【０１１５】
以下同様、Ｍ台目の小型プリンタ（小型プリンタＭ（（Ｍ？Ｍｍａｘ）））まで転送を繰り返すものとし、Ｍ台目の小型プリンタ（小型プリンタＭ）まで転送した結果、印刷ジョブを完遂できなかった場合、印刷不可能として印刷動作を終了する。
【０１１６】
つまり、印刷ジョブが完遂されるまで、最大Ｍｍａｘ回、小型プリンタＸから小型プリンタ１、小型プリンタＸから小型プリンタ２、…、小型プリンタＸから小型プリンタＭへ転送を繰り返すこととなる。
【０１１７】
図１０において、画像記憶装置の１つであるディジタルカメラＳ１００１と、印刷装置の１つである小型プリンタＳ１００２が、無線接続の１つであるＢｌｕｅｔｏｏｔｈ（登録商標）によって接続されている形態であり、小型プリンタＳ１００２は、図１に示した検出手段Ｓ１０５、転送手段Ｓ１０６、転送手段Ｓ１０７、転送手段Ｓ１１３を具備している。
【０１１８】
図１１は、本発明に係る印刷処理システムにおける第６のデータ処理手順の一例を示すフローチャートであり、図４に示したプリンタＳ４０２によるデータ処理手順に対応する。なお、（１）〜（２６），（３０）〜（３２）は各ステップを示し、各ステップはメモリ手段Ｓ１０２に記憶され、制御装置Ｓ１０１により実行される。また、ステップ（１）〜（２６）については、図５と同様であるので、その重複するステップの説明は省略する。
【０１１９】
図１１に示すステップ（４）の後、ステップ（３０）で、小型プリンタＸからステップ（３）において記憶された印刷ジョブを転送した転送回数をカウントアップする。なお、上記ステップを除くステップは、第１実施形態に示す手順と同様である。
【０１２０】
そして、ステップ（３１）で、ステップ（３０）において、カウントされた転送回数が最大転送回数（Ｍｍａｘ）であるか否かを判断して、「はい」であると判断した場合は、ステップ（８）へ、「いいえ」であると判断した場合は、ステップ（５）へ遷移する。
【０１２１】
一方、図１１に示すステップ（１６）を実行したら、ステップ（３２）で、ステップ（１１）において、記憶された印刷装置に転送済みフラグを付加した情報を付加し、メモリ手段Ｓ１０２によって記憶し、ステップ（３０）に遷移する。
【０１２２】
なお、ステップ（１５）における転送手段Ｓ１０６は、転送手段Ｓ１０７に限らず、転送手段Ｓ１０８、転送手段Ｓ１０９であっても良い。
【０１２３】
〔第７実施形態〕
上記実施形態では、ディジタルカメラＳ１００１から印刷ジョブを小型プリンタＳ１００２が受信した場合に、該小型プリンタＳ１００２が基準として、接続可能な小型プリンタを検索して転送制御する場合について説明したが、接続検索処理負担を軽減するため、次の転送候補となった小型プリンタが該印刷ジョブを完遂できない場合には、該小型プリンタが基準として、既に転送を試行した小型プリンタを除いて、なお接続可能な小型プリンタのいずれかに転送制御するように構成してもよい。以下、その実施形態について説明する。
【０１２４】
図１２は、本発明の第７実施形態を示す印刷処理システムの構成を説明する図であり、画像記憶装置の１つであるディジタルカメラＳ１２０１と、印刷装置の１つである小型プリンタＳ１２０２が、無線接続インタフェースの１つであるＢｌｕｅｔｏｏｔｈ（登録商標）によって接続されている形態であり、小型プリンタＳ１２０２は、図１に示した検出手段Ｓ１０５、転送手段Ｓ１０６、転送手段Ｓ１０７、転送手段Ｓ１２３を具備して、小型プリンタ（小型プリンタＸ）において、前記印刷ジョブを完遂できない場合、無線（Ｂｌｕｅｔｏｏｔｈ（登録商標））接続可能な他のプリンタ（小型プリンタ１１、小型プリンタ１２、…、小型プリンタ１Ｎ）を検出し、検出された前記小型プリンタのうち、いずれか一台（小型プリンタＸ１＝小型プリンタ１１、小型プリンタ１２、…、小型プリンタ１Ｎのいずれか）に前記印刷ジョブを転送する。前記小型プリンタ（小型プリンタＸ１）において前記印刷ジョブを完遂できない場合、前記小型プリンタ（小型プリンタＸ１）から無線（Ｂｌｕｅｔｏｏｔｈ（登録商標））接続可能な他のプリンタ（小型プリンタ２１、小型プリンタ２２、…、小型プリンタ２Ｎ）を検出し、検出された前記小型プリンタのうち、いずれか一台（小型プリンタＸ２＝小型プリンタ２１、小型プリンタ２２、…、小型プリンタ２Ｎのいずれか）に前記印刷ジョブを転送する。以下同様、前記小型プリンタＬ台目（小型プリンタＸＬ（Ｌ≦Ｌｍａｘ））まで転送を繰り返すものとし、Ｌ台目の小型プリンタ（小型プリンタＸＬ＝小型プリンタＬ１、小型プリンタＬ２、…、小型プリンタＬＮのいずれか）まで転送した結果、印刷ジョブを完遂できなかった場合、印刷不可能として印刷動作を終了する。
【０１２５】
つまり、印刷可能な他の小型プリンタが検出されるまで、小型プリンタＸから小型プリンタＸ１、小型プリンタＸ１から小型プリンタＸ２、…、小型プリンタＸＬ−１から小型プリンタＸＬ（Ｌ≦Ｌｍａｘ）へ、順次転送を繰り返す。
【０１２６】
図１２において、Ｓ１２０１は画像記憶装置の１つであるディジタルカメラ、Ｓ１２０２は印刷装置の１つである小型プリンタＸ（最初にジョブを受信する小型プリンタ）、Ｓ１２０３〜Ｓ１２０５は、小型プリンタＸ（小型プリンタＳ１２０２）と無線（Ｂｌｕｅｔｏｏｔｈ（登録商標））接続可能な小型プリンタ１１−１Ｎ、Ｓ１２０６〜Ｓ１２０８は前記小型プリンタ１２（Ｓ１２０３）と無線（Ｂｌｕｅｔｏｏｔｈ（登録商標））接続可能な小型プリンタ２１―２Ｎ、Ｓ１２０９―Ｓ１２１１は小型プリンタ（Ｌ−１）１と無線（Ｂｌｕｅｔｏｏｔｈ（登録商標））接続可能な小型プリンタＬ１−ＬＮ（Ｌ≦Ｌｍａｘ）、Ｓ１２１２は前記ディジタルカメラＳ１２０１と前記小型プリンタＳ１２０２が無線（Ｂｌｕｅｔｏｏｔｈ（登録商標））接続している状態に対応する。
【０１２７】
Ｓ１２１３は前記小型プリンタＳ１２０２と、前記小型プリンタＳ１２０３―Ｓ１２０５が無線（Ｂｌｕｅｔｏｏｔｈ（登録商標））接続している状態に対応し、Ｓ１２１４は前記小型プリンタＳ１２０３と前記小型プリンタＳ１２０６−Ｓ１２０５が無線（Ｂｌｕｅｔｏｏｔｈ（登録商標））接続している状態に対応する。
【０１２８】
Ｓ１２１５は順次、小型プリンタと他の小型プリンタが無線（Ｂｌｕｅｔｏｏｔｈ（登録商標））接続されている状態を示し、Ｓ１２１６は、小型プリンタ（Ｌ−１）１と小型プリンタＬ１（Ｓ１２０９）−小型プリンタＬＮ（Ｌ≦Ｌｍａｘ）（Ｓ１２１１）が無線（Ｂｌｕｅｔｏｏｔｈ（登録商標））接続されている状態に対応する。
【０１２９】
Ｓ１２１７は第１回目の転送先、Ｓ１２１８は第２回目の転送先、Ｓ１２１９は、第Ｌ回目の転送先を示す。
【０１３０】
図１３は、本発明に係る印刷処理システムにおける第７のデータ処理手順の一例を示すフローチャートであり、図１２に示した小型プリンタ（小型プリンタＸ）及び、小型プリンタＸ１、小型プリンタＸ２、…、小型プリンタＸＬ（Ｌ≦Ｌｍａｘ）における詳細なデータ処理手順に対応する。なお、（１）〜（２６），（３０），（３１），（３３）は各ステップを示し、各ステップはメモリ手段Ｓ１０２に記憶され、制御装置Ｓ１０１により実行される。また、ステップ（１）〜（２６）については、図５と同様であるので、その重複するステップの説明は省略する。
【０１３１】
図１３に示すステップ（３）を実行したら、ステップ（３３）で、転送元の小型プリンタにおいて完遂できなかった印刷ジョブと共に、前記印刷ジョブの転送回数を受信し、前記メモリ手段Ｓ１０２によって記憶する。
【０１３２】
また、ステップ（４）を実行したら、ステップ（３０）で、ステップ（３）において記憶された転送回数をカウントアップし、メモリ手段Ｓ１０２によって転送回数を記憶する。
【０１３３】
そして、ステップ（３１）では、ステップ（３０）において記憶された転送回数が、最大転送回数以下であるか否かを判断して、「はい」であると判断した場合は、ステップ（８）へ、「いいえ」であると判断した場合は、ステップ（５）へ遷移する。
【０１３４】
なお、本実施形態では、小型プリンタＸ１、小型プリンタＸ２、…、小型プリンタＸＬ（Ｌ≦Ｌｍａｘ）は、すべて検出手段Ｓ１０５、転送手段Ｓ１０６、転送手段Ｓ１０７、転送手段Ｓ１２３を具備している。
【０１３５】
また、ステップ（１５）における転送手段Ｓ１０６は、転送手段Ｓ１０７に限らず、転送手段Ｓ１０８、転送手段Ｓ１０９、転送手段Ｓ１１３であっても良い。
【０１３６】
〔第８実施形態〕
上記第６実施形態では、図１１において、あらじかめ設定された最大転送回数と転送回数を比較判定する場合について説明したが、ユーザが最大転送回数を任意に設定可能に構成してもよい。以下、その実施形態について説明する。
【０１３７】
なお、本実施形態における印刷システムは、画像記憶装置の１つであるディジタルカメラと、印刷装置の１つである小型プリンタが、無線接続の１つであるＢｌｕｅｔｏｏｔｈ（登録商標）によって接続されている形態である。
【０１３８】
また、印刷装置は、無線接続手段Ｓ１０３、送受信手段Ｓ１０４、検出手段Ｓ１０５、転送手段Ｓ１０６、転送手段Ｓ１０７、転送手段Ｓ１１３、転送回数設定手段Ｓ１１４を具備して、ディジタルカメラから請け負った印刷ジョブを、該ディジタルカメラと無線（Ｂｌｕｅｔｏｏｔｈ（登録商標））接続した小型プリンタ（小型プリンタＸ）において印刷する際に、該小型プリンタ（小型プリンタＸ）において、該印刷ジョブを完遂できない場合、新たに無線（Ｂｌｕｅｔｏｏｔｈ（登録商標））接続可能な他のプリンタ（小型プリンタ１、小型プリンタ２、…、小型プリンタＮ）を検索し、その結果検出された該小型プリンタ（小型プリンタ１、小型プリンタ２、…、小型プリンタＭ（Ｍ？Ｍｍａｘ）に印刷ジョブを転送する時の、最大回数Ｍｍａｘを設定する。
【０１３９】
図１４は、本発明に係る印刷システムにおける第８のデータ処理手順の一例を示すフローチャートであり、図９に示したプリンタＳ１００２によるデータ処理手順に対応する。なお、（２０１）〜（２０９）は各ステップを示し、各ステップはメモリ手段Ｓ１０２に記憶され、制御装置Ｓ１０１により実行される。
【０１４０】
まず、ステップ（２０１）で、本処理を開始し、ステップ（２０２）で、電源ＳＷがＯＮであるか否かを判断して、「はい」であると判断した場合は、ステップ（２０３）へ、「いいえ」であると判断した場合は、そのまま待機する。
【０１４１】
そして、ステップ（２０３）で、前記印刷装置の設定モードであるか否かを判断して、「はい」であると判断した場合は、ステップ（２０５）へ、「いいえ」であると判断した場合は、ステップ（２０４）へそれぞれ遷移する。
【０１４２】
そして、ステップ（２０４）では、設定モード以外のモード（例えば印刷モード等）に応じた動作を行う。次に、ステップ（２０５）で、最大転送回数設定モードであるか否かを判断して、「はい」であると判断した場合は、ステップ（２０６）へ、「いいえ」であると判断した場合は、ステップ（２０７）へそれぞれ遷移する。
【０１４３】
そして、ステップ（２０６）で、転送回数設定手段Ｓ１１４によって最大転送回数（Ｍｍａｘ回）が入力されたか否かを判断して、「はい」であると判断した場合は、ステップ（２０８）へ、「いいえ」であると判断した場合は、そのまま待機する。
【０１４４】
そして、ステップ（２０７）では、その他設定モード（例えば転送時間設定モード等に応じた動作を行う。次に、ステップ（２０８）では、ステップ（２０６）において入力された最大転送回数（Ｍｍａｘ回）をメモリ手段Ｓ１０２によって記憶して、ステップ（２０９）で、本処理を終了する。
【０１４５】
本実施形態では、上記ステップに示すように、転送回数定手段Ｓ１１４によって設定された最大転送回数（Ｍｍａｘ回）に基づいて、印刷ジョブの転送を実施するデータ処理は、第６実施形態に示す図１１と同様である。
【０１４６】
〔第９実施形態〕
本実施形態は、第７実施形態の変形例であって、ディジタルカメラより上記最大転送回数を設定して、その設定情報を小型プリンタに転送して設定した後、該設定された最大転送回数に基づいて、図１３に示すデータ処理を実行する例である。以下、その実施形態について説明する。
【０１４７】
なお、本実施形態では、画像記憶装置の１つであるディジタルカメラと、印刷装置の１つである小型プリンタが、無線接続の１つであるＢｌｕｅｔｏｏｔｈ（登録商標）によって接続されている形態である。
【０１４８】
また、本実施形態におけるディジタルカメラは、上記実施形態において小型プリンタが備えていた接続手段Ｓ１０３、送受信手段Ｓ１０４、検出手段Ｓ１０５、転送手段Ｓ１０６、転送手段Ｓ１０７、転送手段Ｓ１２３、転送回数設定手段Ｓ１２５を具備したことを特徴とする。
【０１４９】
そして、ディジタルカメラから請け負った印刷ジョブを、該ディジタルカメラと無線（Ｂｌｕｅｔｏｏｔｈ（登録商標））接続した小型プリンタ（小型プリンタＸ１）において印刷する際に、印刷ジョブを完遂できない場合、小型プリンタＸ１から小型プリンタＸ２へ、小型プリンタＸ２から小型プリンタＸ３へ、…、小型プリンタＸＬ−１から小型プリンタＸＬへ前記印刷ジョブを転送する時の、最大転送回数Ｌｍａｘを、図１４に示した手順に従って設定する。
【０１５０】
具体的には、図１４に示した、ステップ（２０１）で、本処理を開始して、ステップ（２０２）で、電源ＳＷがＯＮであるか否かを判断して、「はい」であると判断した場合は、ステップ（２０３）へ、「いいえ」であると判断した場合は、そのまま待機する。
【０１５１】
そして、ステップ（２０３）で、前記印刷装置の設定モードであるか否かを判断して、「はい」であると判断した場合は、ステップ（２０５）へ、「いいえ」であると判断した場合は、ステップ（２０４）へ遷移する。
【０１５２】
そして、ステップ（２０４）では、設定モード以外のモード（例えば印刷モード等）に応じた動作を行う。
【０１５３】
一方、ステップ（５）では、最大転送回数設定モードであるか否かを判断して、「はい」であると判断した場合、ステップ（２０６）へ、「いいえ」であると判断した場合は、ステップ（２０７）へ遷移する。
【０１５４】
そして、ステップ（２０６）では、転送回数設定手段Ｓ２１５によって最大転送回数（Ｌｍａｘ回）が入力されたか否かを判断して、「はい」であると判断した場合は、ステップ（２０８）へ、「いいえ」であると判断した場合は、そのまま待機する。
【０１５５】
そして、ステップ（２０７）では、その他設定モード（例えば転送時間設定モード等に応じた動作を行う。
【０１５６】
次に、ステップ（２０８）では、ステップ（２０６）において、入力された最大転送回数（Ｌｍａｘ回）をメモリ手段Ｓ１０２によって記憶して、ステップ（２０９）で、本処理を終了する。
【０１５７】
なお、上記ステップに示すように、最大転送回数定手段（Ｓ１２５）によって設定された最大転送回数（Ｌｍａｘ）に基づいて、印刷ジョブの転送を実施する処理の詳細は、第７実施形態に示す図１３と同様である。
【０１５８】
〔他の実施形態）
第２実施形態、第３実施形態に示す手段を具備したことを特徴とする印刷装置においては、第４実施形態、第５実施形態、第６実施形態、第７実施形態における転送手段Ｓ１０７は、転送手段Ｓ１０８であっても良いし、転送手段Ｓ１０９であっても良い。
【０１５９】
この時、転送手段Ｓ１０８によって転送される印刷ジョブは、未実行印刷ジョブであり、転送手段Ｓ１０９によって転送される印刷ジョブは、未実行印刷ジョブ情報を伴う元の印刷ジョブであるものとする。
【０１６０】
また、第１実施形態〜第７実施形態における、画像記憶装置は、ディジタルカメラに限らず、画像を記憶する手段を具備したことを特徴とする装置であれば、ＰＣ、ＰＤＡなどであっても良い。同じく、印刷装置は、小型プリンタに限らず、記録紙に記録する手段を具備したことを特徴とする装置であれば、インクジェットプリンタ、レーザープリンタなどであっても良い。同じく、無線接続は、Ｂｌｕｅｔｏｏｔｈ（登録商標）に限らず、赤外線、無線ＬＡＮなど、その他の無線接続方法であっても良い。
【０１６１】
以下、図１５に示すメモリマップを参照して本発明に係る印刷処理装置で読み取り出し可能なデータ処理プログラムの構成について説明する。
【０１６２】
図１５は、本発明に係る印刷処理装置及び印刷処理システムで読み取り可能な各種データ処理プログラムを格納する記憶媒体のメモリマップを説明する図である。
【０１６３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１６４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１６５】
本実施形態における図５〜図９，図１１，図１３，図１４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１６６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１６７】
この場合、記憶媒体から読み出されたプログラムコード自体が本発明の新規な機能を実現することになり、そのプログラムコードを記憶した記憶媒体は本発明を構成することになる。
【０１６８】
従って、プログラムの機能を有していれば、オブジェクトコード、インタプリタにより実行されるプログラム、ＯＳに供給するスクリプトデータ等、プログラムの形態を問わない。
【０１６９】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１７０】
この場合、記憶媒体から読出されたプログラムコード自体が前述した実施形態の機能を実現することになり、そのプログラムコードを記憶した記憶媒体は本発明を構成することになる。
【０１７１】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１７２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１７３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１７４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１７５】
本発明は上記実施形態に限定されるものではなく、本発明の趣旨に基づき種々の変形（各実施形態の有機的な組合せを含む）が可能であり、それらを本発明の範囲から排除するものではない。
【０１７６】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜３２について説明する。
【０１７７】
〔実施態様１〕
画像記録処理を行う印刷部を備え、無線接続するための無線接続手段を介して、外部の画像記憶装置または、所定の記録処理を行う複数の印刷装置と通信可能な印刷処理装置であって、前記画像記憶装置から前記無線接続手段を介して受信した印刷ジョブを完遂の可否を判断する判断手段（図１に示す制御装置Ｓ１０１が実行する図５に示すステップ（４））と、前記判断手段により完遂できないと判断した場合、前記無線接続手段によって接続可能な複数の印刷装置中より印刷可能な他の印刷装置を検索する検索手段（図１に示す制御装置Ｓ１０１が実行する図５に示すステップ（５）〜（１１））と、前記検索手段により検索された印刷装置に前記印刷ジョブを前記無線接続手段を介して転送する転送手段（図１に示す制御装置Ｓ１０１が実行する図５に示すステップ（１２）〜（１５））と、を具備したことを特徴とする印刷装置。
【０１７８】
〔実施態様２〕
前記転送手段は、前記印刷装置において前記印刷ジョブを完遂できない場合、前記画像記憶装置から受信した元の印刷ジョブを、複数の印刷装置中のいずれか他の印刷装置に転送することを特徴とする実施態様１に記載の印刷装置。
【０１７９】
〔実施態様３〕
前記印刷ジョブを完遂できない場合、未実行の印刷ジョブ情報を取得する取得手段（図１に示す制御装置Ｓ１０１が実行する図６に示すステップ（２７））と、前記取得手段により取得される未実行印刷ジョブ情報に基づいて未実行印刷ジョブを抽出する抽出手段（図１に示す制御装置Ｓ１０１が実行する図６に示すステップ（２８））とを備え、前記転送手段は、前記抽出手段により抽出される前記未実行印刷ジョブを前記複数の印刷装置中のいずれか他の印刷装置に転送する（図１に示す制御装置Ｓ１０１が実行する図６に示すステップ（１５））ことを特徴とする実施態様１に記載の印刷装置。
【０１８０】
〔実施態様４〕
前記転送手段は、前記印刷装置において前記印刷ジョブを完遂できない場合、元の印刷ジョブと前記未実行印刷ジョブ情報とを前記複数の印刷装置中のいずれか他の印刷装置に転送することを特徴とする実施態様１に記載の印刷装置。
【０１８１】
〔実施態様５〕
印刷ジョブを完遂できない状態から所定時間を計測する計測手段（図１に示す制御装置Ｓ１０１が実行する図８に示すステップ（２９））を備え、前記転送手段は、前記時間計測手段により所定時間を計測した後、複数の印刷装置中のいずれか他の印刷装置に前記印刷ジョブを転送することを特徴とする実施態様１に記載の印刷装置。
【０１８２】
〔実施態様６〕
前記計測手段が計測すべき前記所定時間を設定する時間設定手段（図１に示す制御装置Ｓ１０１が実行する図９に示すステップ（１０６），（１０８））を備えることを特徴とする実施態様１に記載の印刷装置。
【０１８３】
〔実施態様７〕
前記転送手段は、前記判断手段により完遂できないと判断した場合、前記印刷ジョブが完遂されるまで、複数の印刷装置の総数に適応して決定される最大転送回数、前記複数の印刷装置中の他の印刷装置に前記印刷ジョブを順次転送を繰り返す（図１に示す制御装置Ｓ１０１が実行する図１１に示すステップ（３１））ことを特徴とする実施態様１に記載の印刷装置。
【０１８４】
〔実施態様８〕
画像記録処理を行う印刷部を備え、無線接続するための無線接続手段を介して、所定の記録処理を行う任意数の印刷装置で１つのグループを構成して複数のグループがそれぞれ通信可能な印刷処理システムであって、各印刷装置は、前記画像記憶装置から前記無線接続手段を介して受信した印刷ジョブを完遂の可否を判断する判断手段（図１に示す制御装置Ｓ１０１が実行する図１３に示すステップ（４））と、前記判断手段により完遂できないと判断した場合、該印刷ジョブを他グループを構成する複数の印刷装置中のいずれかの印刷装置に転送する転送手段（図１に示す制御装置Ｓ１０１が実行する図１３に示すステップ（１５））とを有することを特徴とする印刷処理システム。
【０１８５】
〔実施態様９〕
前記転送手段は、前記グループの総数に適応して決定される最大グループ転送回数分、次グループ中のいずれかの印刷装置に前記印刷ジョブを順次転送を繰り返す（図１に示す制御装置Ｓ１０１が実行する図１３に示すステップ（３１））ことを特徴とする実施態様８に記載の印刷処理システム。
【０１８６】
〔実施態様１０〕
前記最大グループ転送回数を設定するグループ数設定手段（図１に示す制御装置Ｓ１０１が実行する図１４に示すステップ（２０６），（２０８））を有することを特徴とする実施態様８に記載の印刷処理システム。
【０１８７】
〔実施態様１１〕
画像記録処理を行う印刷部を備え、無線接続するための無線接続手段を介して、外部の画像記憶装置または、所定の記録処理を行う複数の印刷装置と通信可能な印刷処理装置の印刷処理方法であって、前記画像記憶装置から前記無線接続手段を介して受信した印刷ジョブを完遂の可否を判断する判断ステップ（図１に示す制御装置Ｓ１０１が実行する図５に示すステップ（４）と、前記判断ステップにより完遂できないと判断した場合、前記無線接続手段によって接続可能な複数の印刷装置中より印刷可能な他の印刷装置を検索する検索ステップ（図１に示す制御装置Ｓ１０１が実行する図５に示すステップ（５）〜（１１））と、前記検索ステップにより検索された印刷装置に前記印刷ジョブを前記無線接続手段を介して転送する転送ステップ（図１に示す制御装置Ｓ１０１が実行する図５に示すステップ（１２）〜（１５））と、を具備したことを特徴とする印刷処理方法。
【０１８８】
〔実施態様１２〕
前記転送ステップは、前記印刷装置において前記印刷ジョブを完遂できない場合、前記画像記憶装置から受信した元の印刷ジョブを、複数の印刷装置中のいずれか他の印刷装置に転送することを特徴とする実施態様１１に記載の印刷処理方法。
【０１８９】
〔実施態様１３〕
前記印刷ジョブを完遂できない場合、未実行の印刷ジョブ情報を取得する取得ステップ（図１に示す制御装置Ｓ１０１が実行する図６に示すステップ（２７））と、前記取得ステップにより取得される未実行印刷ジョブ情報に基づいて未実行印刷ジョブを抽出する抽出ステップ（図１に示す制御装置Ｓ１０１が実行する図６に示すステップ（２８））とを備え、前記転送ステップは、ステップ抽出手段により抽出される前記未実行印刷ジョブを前記複数の印刷装置中のいずれか他の印刷装置に転送する（図１に示す制御装置Ｓ１０１が実行する図６に示すステップ（１５））ことを特徴とする実施態様１１に記載の印刷処理方法。
【０１９０】
〔実施態様１４〕
前記転送ステップは、前記印刷装置において前記印刷ジョブを完遂できない場合、元の印刷ジョブと前記未実行印刷ジョブ情報とを前記複数の印刷装置中のいずれか他の印刷装置に転送することを特徴とする実施態様１１に記載の印刷処理方法。
【０１９１】
〔実施態様１５〕
印刷ジョブを完遂できない状態から所定時間を計測する計測ステップ（図１に示す制御装置Ｓ１０１が実行する図８に示すステップ（２９））を備え、前記転送ステップは、前記時間計測ステップにより所定時間を計測した後、複数の印刷装置中のいずれか他の印刷装置に前記印刷ジョブを転送することを特徴とする実施態様１１に記載の印刷処理方法。
【０１９２】
〔実施態様１６〕
前記計測ステップが計測すべき前記所定時間を設定する時間設定ステップ（図１に示す制御装置Ｓ１０１が実行する図９に示すステップ（１０６），（１０８））を備えることを特徴とする実施態様１１に記載の印刷処理方法。
【０１９３】
〔実施態様１７〕
前記転送ステップは、前記判断ステップにより完遂できないと判断した場合、前記印刷ジョブが完遂されるまで、複数の印刷装置の総数に適応して決定される最大転送回数、前記複数の印刷装置中の他の印刷装置に前記印刷ジョブを順次転送を繰り返す（図１に示す制御装置Ｓ１０１が実行する図１１に示すステップ（３１））ことを特徴とする実施態様１１に記載の印刷処理方法。
【０１９４】
〔実施態様１８〕
画像記録処理を行う印刷部を備え、無線接続するための無線接続手段を介して、所定の記録処理を行う任意数の印刷装置で１つのグループを構成して複数のグループがそれぞれ通信可能な印刷処理システムにおける印刷処理方法であって、各印刷装置は、前記画像記憶装置から前記無線接続手段を介して受信した印刷ジョブを完遂の可否を判断する判断ステップ（図１に示す制御装置Ｓ１０１が実行する図１３に示すステップ（４））と、前記判断ステップにより完遂できないと判断した場合、該印刷ジョブを他グループを構成する複数の印刷装置中のいずれかの印刷装置に転送する転送ステップ（図１に示す制御装置Ｓ１０１が実行する図１３に示すステップ（１５））とを有することを特徴とする印刷処理方法。
【０１９５】
〔実施態様１９〕
前記転送ステップは、前記グループの総数に適応して決定される最大グループ転送回数分、次グループ中のいずれかの印刷装置に前記印刷ジョブを順次転送を繰り返す（図１に示す制御装置Ｓ１０１が実行する図１３に示すステップ（３１））ことを特徴とする実施態様１８に記載の印刷処理方法。
【０１９６】
〔実施態様２０〕
前記最大グループ転送回数を設定するグループ数設定ステップ（図１に示す制御装置Ｓ１０１が実行する図１４に示すステップ（２０６），（２０８））を有することを特徴とする実施態様１８に記載の印刷処理方法。
【０１９７】
〔実施態様２１〕
実施態様１１〜２０のいずれかに記載の印刷処理方法を実現するプログラムを記憶したことを特徴とするコンピュータが読み取り可能な記憶媒体。
【０１９８】
〔実施態様２２〕
実施態様１１〜２０のいずれかに記載の印刷処理方法を実現するプログラムであることを特徴とする。
【０１９９】
〔実施態様２３〕
記録紙に記録を行う記録手段を有する印刷装置（画像記憶装置から印刷ジョブを最初に受信する印刷装置を印刷装置ＰＸとする）において、記録紙に記録を行う記録手段を有する他の印刷装置（印刷装置Ｐ１、印刷装置Ｐ２、…、印刷装置ＰＮ）と無線接続する無線接続手段（無線接続手段ＩＮＦ１）と、画像を記憶する記憶手段を有する画像記憶装置と無線接続する手段（無線接続手段ＩＮＦ２）と、前記画像記憶装置と前記無線接続を介してディジタルデータの送受信を行う送受信手段と、前記画像記憶装置から前記無線接続を介して受信した印刷ジョブを完遂できない場合、前記無線接続手段（無線接続手段ＩＮＦ１）によって接続可能な他の印刷装置（印刷装置Ｐ１、印刷装置Ｐ２、…、印刷装置ＰＮ）を検索する検索手段と、前記印刷装置（印刷装置Ｐ１、印刷装置Ｐ２、…、印刷装置ＰＮのいずれか）に前記印刷ジョブを前記無線接続手段（無線接続手段ＩＮＦ２）を介して転送する転送手段とを具備したことを特徴とする印刷装置。
【０２００】
〔実施態様２４〕
前記転送手段は、前記印刷装置（印刷装置ＰＸ）において前記印刷ジョブを完遂できない場合、元の印刷ジョブを、他の印刷装置（印刷装置Ｐ１、印刷装置Ｐ２、…、印刷装置ＰＮのいずれか）に転送することを特徴とする実施態様２３に記載の印刷装置。
【０２０１】
〔実施態様２５〕
前記転送手段は、前記印刷装置（印刷装置ＰＸ）において、前記印刷ジョブを完遂できない場合、未実行の印刷ジョブ情報を取得する取得手段と、前記未実行印刷ジョブ情報に基づいて未実行印刷ジョブを抽出する抽出手段と、前記未実行印刷ジョブを他の印刷装置（印刷装置Ｐ１、印刷装置Ｐ２、…、印刷装置ＰＮのいずれか）に転送することを特徴とする実施態様２３に記載の印刷装置。
【０２０２】
〔実施態様２６〕
前記転送手段は、前記印刷装置（印刷装置Ｘ）において前記印刷ジョブを完遂できない場合、元の印刷ジョブと前記未実行印刷ジョブ情報とを他の印刷装置（印刷装置１、印刷装置２、…、印刷装置Ｎのいずれか）に転送することを特徴とする実施態様２３に記載の印刷装置。
【０２０３】
〔実施態様２７〕
前記印刷装置において、時間を計測する計測手段を具備し、印刷ジョブを完遂できない場合、該計測手段によって、前記印刷ジョブを完遂できない状態に陥ってからある一定の時間を計測した後、前記転送手段（実施態様２４〜２６に記載の転送手段のいずれか）によって、前記印刷装置（印刷装置Ｐ１、印刷装置Ｐ２、…、印刷装置ＰＮのいずれか）に前記印刷ジョブを転送することを特徴とする実施態様２３に記載の印刷装置。
【０２０４】
〔実施態様２８〕
前記印刷装置（印刷装置ＰＸ）において印刷ジョブを完遂できない場合、前記計測手段によって計測される一定時間を設定する手段を具備したことを特徴とする実施態様２３に記載の印刷装置。
【０２０５】
〔実施態様２９〕
前記印刷装置（印刷装置ＰＸ）において印刷ジョブを完遂できない場合、前記印刷ジョブが完遂されるまで、最大Ｍｍａｘ回、前記転送手段（実施態様２４〜２６に記載の転送手段のいずれか）によって、他の印刷装置（印刷装置Ｐ１、印刷装置Ｐ２、・Ａ印刷装置ＰＭ（ＰＭ？Ｍｍａｘ））に前記印刷ジョブを転送することを特徴とする実施態様２３に記載の印刷装置。
【０２０６】
〔実施態様３０〕
画像記録処理を行う印刷部を備え、無線接続するための無線接続手段を介して、所定の記録処理を行う任意数の印刷装置で１つのグループを構成して複数のグループがそれぞれ通信可能な印刷処理システムであって、前記印刷装置（印刷装置ＰＸ）において印刷ジョブを完遂できない場合、前記印刷ジョブが完遂されるまで、最大Ｌｍａｘ回、前記転送手段（実施態様２４〜２６に記載の転送手段のいずれか）によって、順次、他の印刷装置（印刷装置ＰＸから印刷装置ＰＸ１へ、印刷装置ＰＸ１から印刷装置ＰＸ２へ、…、印刷装置ＰＸＬ−１から印刷装置ＰＸＬ（（Ｌ≦Ｌｍａｘ）））へ前記印刷ジョブを転送することを特徴とする印刷システム。
【０２０７】
〔実施態様３１〕
前記印刷装置（印刷装置ＰＸ）において印刷ジョブを完遂できない場合、実施態様３０に記載の転送手段によって前記印刷ジョブを他の印刷装置に転送される、最大回数（Ｍｍａｘ）を設定する設定手段を具備したことを特徴とする実施態様２９に記載の印刷装置。
【０２０８】
〔実施態様３２〕
前記印刷装置（印刷装置Ｘ）において印刷ジョブを完遂できない場合、前記転送手段（実施態様３０）によって前記印刷ジョブを他の印刷装置に転送される、最大回数（Ｌｍａｘ）を設定する手段を具備したことを特徴とする実施態様３０に記載の印刷システム。
【０２０９】
上記実施形態および実施態様によれば、画像記憶装置と無線接続されたと印刷装置において、画像記憶装置から無線接続を介して送信された印刷ジョブを完遂できない場合、該画像記憶装置が、新たに無線接続可能な他の印刷装置を検索し、新しく検出された印刷装置に元の印刷ジョブそのものを転送することによって、印刷ジョブを確実に完遂することを可能とする。
【０２１０】
これにより、操作者自身が、印刷しようとする印刷ジョブを処理できる能力を持つ印刷装置を検索し、送信するという煩雑な手順を踏むことなく、容易にかつ確実に印刷処理が行えるという効果が得られる。
【０２１１】
さらに元の印刷ジョブから未実行印刷ジョブを抽出し、未実行印刷ジョブのみを転送することによって、同じ印刷ジョブを何度も送信するという無駄を省き、効率的な印刷処理を行えるという効果が得られる。
【０２１２】
さらに、印刷装置において印刷ジョブを完遂できない状態に陥ってから、ある一定時間経過した後に、他の印刷装置を検索し転送することによって、一時的に印刷できない（例えば用紙不足など）状態に陥った印刷装置からも、ある一定時間以内に復帰（例えば用紙補充）した時、該印刷装置から印刷出力を得られるという効果が得られる。
【０２１３】
さらに、印刷装置において印刷ジョブを完遂できない時、印刷ジョブを転送する印刷装置の最大回数を設けることによって、際限なく印刷ジョブを他の印刷装置に転送することを防ぐという効果が得られる。
【０２１４】
さらに、印刷装置において印刷ジョブを完遂できない場合、他の印刷装置を検索するまでの時間を設定する手段や、転送最大回数を設定する手段を設けることによって、操作者の好みに応じた転送の設定が可能となり、意図しない印刷待ち時間や印刷エラー終了などによるストレスを解消できるという効果が得られる。
【０２１５】
【発明の効果】
以上説明したように、本発明によれば、画像記憶装置と印刷装置を無線接続し、前記印刷装置に無線接続手段を介して送信した印刷ジョブを前記印刷装置にて完遂できない時、前記画像記憶装置において、新たに無線接続可能な印刷装置を検索し、その結果検出された印刷装置に前記印刷ジョブを転送することにより、１台の画像記憶装置に対して複数の印刷装置中の任意に選択される１台の印刷装置が無線接続され、該接続された印刷装置にさらに他の複数の印刷装置中のいずれかの印刷装置が無線接続されている印刷システム環境において、印刷装置の可動状態が動的に変動しても、常に無線印刷システムを構成している現時点の印刷装置中のいずれかの印刷装置を選択して容易にかつ確実に印刷ジョブを処理させることができるとともに、該印刷ジョブを中断しても、他の印刷装置を特定して該中断した印刷ジョブを正常に印刷処理できるように印刷処理を再開できる利便性と拡張性に優れた印刷システム環境を自在に構築することできるという効果を奏する。
【図面の簡単な説明】
【図１】本発明の第１実施形態を示す印刷処理システムにおける印刷装置の構成を説明するブロック図である。
【図２】本発明に係る画像記憶装置の一例を示す図である。
【図３】本発明に係る印刷処理システムにおける印刷装置の一例を示す外観図である。
【図４】本発明に係る印刷処理システムの構成を説明するシステム構成図である。
【図５】本発明に係る印刷処理システムにおける第１のデータ処理手順の一例を示すフローチャートである。
【図６】本発明に係る印刷処理システムにおける第２のデータ処理手順の一例を示すフローチャートである。
【図７】本発明に係る印刷処理システムにおける第３のデータ処理手順の一例を示すフローチャートである。
【図８】本発明に係る印刷処理システムにおける第４のデータ処理手順の一例を示すフローチャートである。
【図９】本発明に係る印刷処理システムにおける第５のデータ処理手順の一例を示すフローチャートである。
【図１０】本発明に係る印刷処理システムの他の構成を説明するシステム構成図である。
【図１１】本発明に係る印刷処理システムにおける第６のデータ処理手順の一例を示すフローチャートである。
【図１２】本発明の第７実施形態を示す印刷システムの構成を説明する図である。
【図１３】本発明に係る印刷処理システムにおける第７のデータ処理手順の一例を示すフローチャートである。
【図１４】本発明に係る印刷処理システムにおける第８のデータ処理手順の一例を示すフローチャートである。
【図１５】本発明に係る印刷処理装置及び印刷処理システムで読み取り可能な各種データ処理プログラムを格納する記憶媒体のメモリマップを説明する図である。
【図１６】従来の無線印刷システムの構成を説明する図である。
【符号の説明】
Ｓ１０１  制御装置
Ｓ１０２  メモリ手段
Ｓ１０３  無線接続手段
Ｓ１０４  送受信手段
Ｓ１０５  検出手段
Ｓ１０６〜Ｓ１０９  転送手段
Ｓ１１０  未実行印刷ジョブ情報取得手段
Ｓ１１１  時間計測手段
Ｓ１１２  再送時間設定手段
Ｓ１１３，Ｓ１２３  転送手段
Ｓ１１４，Ｓ１２５  転送回数設定手段
Ｓ１１８  印刷能力取得手段
Ｓ１１９  未実行印刷ジョブ抽出手段
Ｓ１２０  プリンタ部
【図１】
2004318431.tif 000003
【図２】
2004318431.tif 000004
【図３】
2004318431.tif 000005
【図４】
2004318431.tif 000006
【図５】
2004318431.tif 000007
【図６】
2004318431.tif 000008
【図７】
2004318431.tif 000009
【図８】
2004318431.tif 000010
【図９】
2004318431.tif 000011
【図１０】
2004318431.tif 000012
【図１１】
2004318431.tif 000013
【図１２】
2004318431.tif 000014
【図１３】
2004318431.tif 000015
【図１４】
2004318431.tif 000016
【図１５】
2004318431.tif 000017
【図１６】
2004318431.tif 000018